(57)【要約】【課題】振出し容器内へ移送箱を設けて、該移送箱内へ入った錠剤等だけを振出しすることで、従来よりも正確に定量ないしほぼ定量の錠剤等を振出し可能とした。【解決手段】振出し容器１内を区分して、収納室６と作動室７とに分ける仕切板５前部を除去して通路８を設け、支持板前端へ移送箱２４を付設した移送部材２１を作動室７内へ装着させて通路８側方へ移送箱２４を位置させ、通路８を通って移送箱２４内へ入った錠剤等が、付勢に抗して移送箱が上昇ないし下降した位置で移送箱前面から振出し可能に形成した。【選択図】    図１
2004299753.tif 000002
【特許請求の範囲】
【請求項１】
振出し容器１内を、錠剤等の収納室６と作動室７とに区分する仕切板の前部を除去して通路８となし、又支持板前端部へ計量室兼用の移送箱２４を付設した移送部材２１を作動室７内へ装着させて上記通路８側方へ移送箱２４を位置させ、該位置から付勢に抗して上昇ないし下降された位置で上記通路を通って収納室６内から移送箱２４内へ移動された錠剤等が作動室７前方の容器部分から振出し可能に形成した
ことを特徴とする、錠剤等振出し容器。
【請求項２】
上記振出し容器１を底板３外周から周壁４を起立する、仕切板５付き容器本体２と、該容器本体へ着脱自在に嵌合させた蓋体１１とで形成し、
上記支持板を板バネ２２で形成して該板バネ後端部を作動室７の後端部内へ固着させると共に作動室７の前壁下部に振出し口１０を穿設し、又移送箱２４上方の蓋体頂板部分に窓孔１５を穿設し、該窓孔を介して移送箱２４を板バネ２２の弾性に抗して押下げすることで、移送箱前面の開口２６が振出し口１０と連通可能に形成した
ことを特徴とする、請求項１記載の錠剤等振出し容器。
【請求項３】
上記振出し容器１を、底板３外周から周壁４を起立する、仕切板５付きの容器本体２と、該容器本体上面へ着脱自在に嵌合させる蓋体１１とで形成し、
上記移送部材２１の前後方向中間部の左右両側面中間部と、作動室左右両側壁の前後方向中間部とを枢着させ、又該移送部材上方の蓋体頂板部分を窓孔１５として移送部材２１上面を露出させ、移送部材後部の押下げにより、上記移送箱前面へ形成した開口２６が窓孔１５の前端上方へ露出可能に形成した
ことを特徴とする、請求項１記載の錠剤等振出し容器。
【請求項４】
上記通路８の底面と、収納室６前部の底面部分とを、面一に連続させると共に、該収納室前部底面の後縁から、収納室中間部底面を斜下後方へ下降させて形成し、かつ該中間部底面の後端縁へ、収納室後部底面の前端縁を接続させた
ことを特徴とする、請求項１、２又は３記載の錠剤等振出し容器。
【請求項５】
上記通路８の底面よりも収納室６底面を低く設けて、収納室内錠剤等を、上記通路８を介して移送箱２４内へ送り込むための錠剤等走路としての傾斜面３５を、通路８底面から収納室底面へ次第に下降させて形成した
ことを特徴とする、請求項１、２又は３記載の錠剤等振出し容器。
【発明の詳細な説明】
【０００１】
【発明の属する技術分野】
本発明は錠剤等振出し容器に関する。
【０００２】
【従来の技術】
底板外周から周壁を起立させ、該周壁上面を頂板で閉塞する中空容器の外周一部を、該外周一部を形成する周壁部分、底板部分、頂板部分を共に切欠きした容器と、それ等切欠きされた周壁部分、底板部分、頂板部分に対応する各部分を有して、上記容器内から切欠き部分を閉塞させて外方突出する押込み部材とを有し、該押込み部材の上記周壁部分端部を弾性板として延長させて該端部の上下を容器内において頂板および底板と固着させ、又該押込み部材の頂板部分を延長させて該延長部へ第１振出し孔を、又容器頂板一部に第２振出し孔を、それぞれ穿設して、上記外方へ突出する押込み部材部分を容器内方へ付勢に抗して押込みしたとき、上記第１、第２振出し孔が連通して、容器内錠剤等を振出し可能とした振出し容器が知られている（特許文献１）。
【０００３】
【特許文献１】特開平１１−１８０４７９号公報。
【０００４】
【発明が解決しようとする課題】
上記従来の振出し容器は、第１振出し孔と第２振出し孔とを連通させて振出すため、複数の錠剤等を連続させて振出す場合は好都合であるが、錠剤等を単数ないし一定数だけ振出す場合は不便である。
【０００５】
本発明は、振出し容器内へ移送箱を設けて、該移送箱内に収納された錠剤等だけを振出し可能としたものである。
【０００６】
【課題を解決するための手段】
第１の手段として、振出し容器１内を、錠剤等の収納室６と作動室７とに区分する仕切板の前部を除去して通路８となし、又支持板前端部へ計量室兼用の移送箱２４を付設した移送部材２１を作動室７内へ装着させて上記通路８側方へ移送箱２４を位置させ、該位置から付勢に抗して上昇ないし下降された位置で上記通路を通って収納室６内から移送箱２４内へ移動された錠剤等が作動室７前方の容器部分から振出し可能に形成した。
【０００７】
第２の手段として、上記第１の手段を有すると共に上記振出し容器１を底板３外周から周壁４を起立する、仕切板５付き容器本体２と、該容器本体へ着脱自在に嵌合させた蓋体１１とで形成し、
上記支持板を板バネ２２で形成して該板バネ後端部を作動室７の後端部内へ固着させると共に作動室７の前壁下部に振出し口１０を穿設し、又移送箱２４上方の蓋体頂板部分に窓孔１５を穿設し、該窓孔を介して移送箱２４を板バネ２２の弾性に抗して押下げすることで、移送箱前面の開口２６が振出し口１０と連通可能に形成した。
【０００８】
第３の手段として、上記第１の手段を有すると共に上記振出し容器１を、底板３外周から周壁４を起立する、仕切板５付きの容器本体２と、該容器本体上面へ着脱自在に嵌合させる蓋体１１とで形成し、
上記移送部材２１の前後方向中間部の左右両側面中間部と、作動室左右両側壁の前後方向中間部とを枢着させ、又該移送部材上方の蓋体頂板部分を窓孔１５として移送部材２１上面を露出させ、移送部材後部の押下げにより、上記移送箱前面へ形成した開口２６が窓孔１５の前端上方へ露出可能に形成した。
【０００９】
第４の手段として、上記第２又は第３の手段を有すると共に  上記通路８の底面と、収納室６前部の底面部分とを、面一に連続させると共に、該収納室前部底面の後縁から、収納室中間部底面を斜下後方へ下降させて形成し、かつ該中間部底面の後端縁へ、収納室後部底面の前端縁を接続させた。
【００１０】
第５の手段として、上記第２又は第３の手段を有すると共に上記通路８の底面よりも収納室６底面を低く設けて、収納室内錠剤等を、上記通路８を介して移送箱２４内へ送り込むための錠剤等走路としての傾斜面３５を、通路８底面から収納室底面へ次第に下降させて形成した。
【００１１】
【発明の実施の形態】
まず、図１から図６が示す第１実施形態について説明すると、１は振出し容器で該振出しは容器本体と蓋体と移送部材とで形成されている。
【００１２】
容器本体２は、底板３外周から周壁４を起立し、かつ仕切板５を設けて容器本体内を錠剤等収納室６と作動室７とに区分し、かつ仕切板前部を除去して通路８としている。該通路底面は錠剤等収納室底面と面一に形成する。
【００１３】
作動室７は、図５が示すようにその前後方向中間の底板部分を斜下前方へ傾斜させ、かつその前部底板部分を図１が示すように収納室６の底板よりも下方に位置させている。又上記中間底板部分へは、後部底板部分左右から移送部材取付け用の案内板９、９を固定させている。作動室前壁の下部には底板部分を共に切欠いて振出し口１０を穿設している。
【００１４】
蓋体１１は頂板１２外周から上記容器本体の周壁外面へ嵌合させる周壁１３を垂下する。これ等容器本体周壁と蓋体周壁とには凸状の係合手段１４、１４を付設している。又既述作動室７の前部上方頂板部分には窓孔１５を開口させている。
【００１５】
移送部材２１は、支持板としての板バネ２２の後端部を半四角枠状の基端部２３に、又板バネ前端へ計量兼用の移送箱２４を付設しており、板バネ２２を既述案内板９、９間へ嵌合させ又基端部２３を作動室後部内へ嵌合させて固定させている。移送箱２４は、図１が示すように通路８側の側面と前端面とをそれぞれ開口２５、２６しており、その通路側の開口２５は通路８と連続させて通路底面と移送箱底面とが面一となるよう設け、前面開口２６は図５が示すように振出し口１０上方の容器本体前壁部分によって閉塞されるよう設けている。
【００１６】
移送部材２１装着状態において、移送箱２４上部は蓋体の窓孔１５内へ嵌合され、図６が示すように移送箱２４内へ入った錠剤４１は移送箱押下げにより振出し口１０から放出されるよう設けている。該移送箱押下げ時において通路８は移送箱上板の側面によりほぼ閉塞される。尚移送部材２１を図５が示すように水平状態にするためには作動室の後部底板部分へ突条２７を付設し、板バネ２２の後部下面を支持させるとよい。
【００１７】
以下第２、第３、第４実施形態について説明するが、第１実施形態と同一部分については同一符号を付することで説明は省略する。
【００１８】
図７から図１２は第２実施形態を示す。該実施形態では、容器本体１と蓋体１１とを、各周壁の後壁上端と下端とをヒンジ２８で連結して開閉自在としている。
【００１９】
容器本体の周壁４および仕切板５は高く設けており、容器本体内を深く設けて粒体振出し容器に形成している。そのため、通路８は仕切板５前部の上部に形成し、又収納室６は収納室前部の底面を通路８の底面と同一水平面上に面一として形成し、該前部底面の後縁から斜下後方へ収納室中間部底面を突出し、かつ該中間部底面の後縁へ、後部底面の前の前縁を接続させている。
【００２０】
作動室７は、その後部下方に凹字形状の係合板２９を付設し、その係合板内と容器本体周壁の作動室後壁部分との間へ、移送部材後端部嵌合用の凹部を形成している。
【００２１】
移送部材２１は支持板としての板バネ２２後端を下方へ屈曲させて該屈曲板３０を上記凹部内へ緊密に嵌着させている。
【００２２】
該実施形態の場合も、図１１が示す状態で通路８底面と移送室底面とは同一平面上に位置させており、該状態で移送箱２４前面開口２６は振出し口１０上方の容器本体前壁部分で閉塞され、図１２のように移送箱２４を弾性に抗して下限まで押下げたとき、移送箱前面の開口２６は振出し口１０と連通して粒体４２が振出しされる。
【００２３】
図１３から図１８は第３実施形態を示す。
【００２４】
該実施形態は、収納室６底面と通路８底面とを同一平面上に形成すると共にこれ等底面に対して作動室底面はやや低く形成している。又作動室７の外方側壁部内方には該壁部との間に小間隙をおいて、仕切板５と平行に係合板３１を横設して該係合板前端は屈曲させてその先端を上記外方側壁部へ接続させ、又係合板後端は周壁後壁部分へ連続させている。これ等係合板３１と仕切板５との、作動室前後方向中間部の上面には軸受けとしての凹部３２，３２  を穿設している。
【００２５】
移送部材２１は、図１３、図１８が示すように、前後方向へ長く設けた長方形状板の左右側面の前後方向中間部下面に突部を横設し、該突部の両端面からピン３３，３３  を突出し、かつそのピンやや前方の長方形状板部分下面から移送室後壁を垂下し、該後壁下端から移送室底板を前方突出すると共に後壁よりも前方の長方形状板部分を移送室上壁として、通路８側と対向する側の上壁と底板との間を側板で閉塞している。又上記突部の後面下端からは下後方へ板バネ３３を突出させている。
【００２６】
移送部材２１は、図１６が示すようにピン３３，３３  を凹部３２，３２  へ嵌合させて容器本体２へ装着させる。該状態で板バネ３４下端は作動室後部の底面へ接し、又移送箱底板の上面は通路８の底面と同一平面上に位置し、よって収納室５内錠剤４１を通路８を通って移送箱２４内へ入れることが出来る。尚該移送箱内の広さは錠剤１箇だけが入るよう設けている。
【００２７】
蓋体１１は、作動室上方の頂板部分を窓孔１５として大きく開口する。蓋体嵌合状態において移送部材２１の上面を形成する長方形状板は、上記窓孔１５内へ嵌合され、該嵌合状態を示す図１６の状態から移送部材後部上面を押下げるとピン３３，３３  を中心に板バネ３４の弾性に抗して回動し、図１７のように移送箱２４前面の開口２６は窓孔前部上方へ露出するから、容器を傾けることで錠剤を振出すことが出来、上記押下げを離すと、図１６の状態へ復帰する。尚移送部材後部押下げ状態において、移送箱底板の通路側端面が通路８を閉塞する。
【００２８】
図１９から図２３は第４実施形態を示す。
【００２９】
該実施形態は第２、第３実施形態と似た部分が多く、同一部分については第２、第３実施形態と同一符号を付することで説明を省略する。
【００３０】
該実施形態にあっては、第２実施形態の場合と同様に、容器本体後壁の上端部と蓋体後壁の下端部とをヒンジ２８を介して蓋体の開閉が自在に連続させている。
【００３１】
容器本体２の周壁４および仕切板５は、第２実施形態の場合と同様に高く設けてそれ等周壁等上面から底面までを深く形成している。
【００３２】
通路８底面は、容器体底面よりも上方に位置させてあり、その通路底面から収納室底面へ傾斜面３５を下降させ、該傾斜面を走路として収納室内粒体４２が上記通路を通って移送箱内へ移動可能としている。
【００３３】
移送部材２１は、第３実施形態の場合とほぼ同様であるが、移送室内底板の通路８側の端面からは図２１が示すように支持板３６を垂下させて、移送部材２１が容器本体内へ装着された状態で、支持板３６下面は板バネ２２下端と共に作動室の底面に接して移送部材を水平状態に保つことが可能に形成している。
【００３４】
該状態で移送室内底面と通路８底面とは同一水平面上に位置する。
【００３５】
尚移送箱２４前面は、通路８側の半面だけを開口２６し、該開口に対応させて蓋体１１の窓孔１５前方の上部部分に流出路としての溝３７を穿設している。又窓孔１５前部の、通路８上方の側縁部からは、図２３が示すように移送部材２１後部を押下げたとき、移送箱２４の通路側開口２５を閉塞させておくための閉塞板３８を起立させている。又該移送部材後部押下げ時に、通路８を移送箱底板の通路側端面が閉塞する。
【００３６】
既述各実施形態において、各部材はそれぞれ合成樹脂材で形成させている。
【００３７】
【発明の効果】
本発明は既述構成とするもので、請求項１記載のようにすることで、移送箱２４の室内へ入った錠剤等だけを振出すから、その室内広さを例えば錠剤１箇だけが入る広さにすることで錠剤１箇だけを、又数箇の粒体だけが入る広さとすればほぼ定量の粒体だけを振出すことが可能であり、又移送箱は付勢に抗して上昇ないし下降させた位置で振出しするから、その移送箱は自動的に弾性復帰することとなり、よって振出し口の閉塞を忘れることがない。
【００３８】
請求項２のようにすることで、移動部材２１の構造を簡易化することが出来、蓋体頂板へ穿設する窓孔１５も小形化でき、全体の構造も簡易化することが出来る。
【００３９】
請求項３のようにすることで、容器全体を薄い容器とすることが容易となる。
【００４０】
請求項４のようにすることで、収納室６内への錠剤等収納量を多くすることが出来ると共に移送箱２４内への移送は、収納室前部の底面上へ錠剤等を乗せた後に通路８を通って移送箱２４内へ移動させることが出来、通路へ向かう錠剤等数量を整理できる利点がある。
【００４１】
請求項５のように、通路底面から収納室底面へ次第に下降する錠剤等走路としての傾斜面３５を下降させたことで、収納室容量を更に大とすることが出来る。
【図面の簡単な説明】
【図１】本発明容器の分解斜視図である。
【図２】図１容器の斜視図である。
【図３】図１容器から蓋体を外した状態で示す斜視図である。
【図４】図１容器の側面図である。
【図５】図１容器の断面図である。
【図６】図５状態から移送箱を押下げた状態を示す断面図である。
【図７】第２実施形態で示す、分解斜視図である。
【図８】図７容器の斜視図である。
【図９】図８容器を下方からみた斜視図である。
【図１０】図７容器から蓋体を除去した状態で示す平面図である。
【図１１】図８容器の断面図である。
【図１２】図１１状態から移送箱を押下げた状態で示す断面図である。
【図１３】第３実施形態で示す分解斜視図である。
【図１４】図１３容器の斜視図である。
【図１５】図１４状態から蓋体を除去して示す平面図である。
【図１６】図１４容器の断面図である。
【図１７】図１４状態から移送箱を上昇させた状態で示す断面図である。
【図１８】図１３容器主要部材を裏返してみた斜視図である。
【図１９】第４実施形態で示す分解斜視図である。
【図２０】図１９容器の斜視図である。
【図２１】図２０容器の断面図である。
【図２２】図２１状態から移送箱を上昇させた状態の断面図である。
【図２３】図２０状態から移送箱を上昇させた状態で示す斜視図である。
【符号の説明】
２…容器本体                            ５…仕切板
６…収納室                            ７…作動室
１０…振出し口                                １１…蓋体
１５…窓孔                                        ２１…移送部材
２２…板バネ                                      ２４…移送箱
２５…開口                                        ２６…開口
３３…ピン
【図１】
2004299753.tif 000003
【図２】
2004299753.tif 000004
【図３】
2004299753.tif 000005
【図４】
2004299753.tif 000006
【図５】
2004299753.tif 000007
【図６】
2004299753.tif 000008
【図７】
2004299753.tif 000009
【図８】
2004299753.tif 000010
【図９】
2004299753.tif 000011
【図１０】
2004299753.tif 000012
【図１１】
2004299753.tif 000013
【図１２】
2004299753.tif 000014
【図１３】
2004299753.tif 000015
【図１４】
2004299753.tif 000016
【図１５】
2004299753.tif 000017
【図１６】
2004299753.tif 000018
【図１７】
2004299753.tif 000019
【図１８】
2004299753.tif 000020
【図１９】
2004299753.tif 000021
【図２０】
2004299753.tif 000022
【図２１】
2004299753.tif 000023
【図２２】
2004299753.tif 000024
【図２３】
2004299753.tif 000025